(57)【特許請求の範囲】
【請求項１】
通常の眼鏡の下方に補助眼鏡を取り付ける方法であって、
磁性材料を、前記通常の眼鏡に設けられた複数のソケットに取り付け、
磁性材料を、前記補助眼鏡に設けられた複数のソケットに取り付け、前記通常の眼鏡の複数の磁性材料の下方で適合しかつ前記通常の眼鏡の複数の磁性材料と結合するようにし、
ここで、前記通常の眼鏡の複数の磁性材料および取り付けられた前記補助眼鏡の複数の磁性材料は、前記磁性材料間の磁力の最大の引力が前記通常の眼鏡のレンズに対してほぼ平行になるように且つ使用時に鉛直方向に方向付けられており、
前記通常の眼鏡または補助眼鏡のいずれか一方の前記複数の磁性材料は、それぞれ取り付けられた前記ソケット内で凹部を形成しており、他方の前記複数の磁性材料は、それぞれ取り付けられた前記ソケットから突出しており、
前記突出した磁性材料をそれぞれ前記凹部に係合させ、前記凹部の磁性材料と結合させることにより、前記通常の眼鏡および前記補助眼鏡を一緒に取り付け、
これによって前記補助眼鏡が前記通常の眼鏡に取り付けられたときに前記磁性材料間の引力によって前記補助眼鏡は下方に動かずかつ離れないようになっていて、突出した磁性材料とソケット内の凹部との係合により前記通常の眼鏡と前記補助眼鏡とが整列しつつ固定される、方法。
【請求項２】
前記通常の眼鏡の複数の磁性材料を前記通常の眼鏡のフレームのテンプル延長部に取り付け、前記補助眼鏡の複数の磁性材料を前記補助眼鏡のフレームの対向する側から伸びている付属体に取り付ける、請求項１に記載の方法。
【請求項３】
前記通常の眼鏡の複数の磁性材料をそれらの軸が前記通常の眼鏡のレンズに対して平行に鉛直方向を向くように取り付け、前記補助眼鏡の複数の磁性材料をそれらの軸が前記補助眼鏡のレンズに対して平行に鉛直方向を向くように取り付ける、請求項１または２に記載の方法。
【請求項４】
前記テンプル延長部および前記補助眼鏡の付属体に、それぞれ一対の前記ソケットを取り付ける、請求項２に記載の方法。
【請求項５】
前記凹部を形成する前記複数の磁性材料が、前記テンプル延長部の一対のソケット内にあり、前記突出した前記複数の磁性材料が、前記補助眼鏡の付属体の一対のソケット内にある、請求項４に記載の方法。
【請求項６】
通常の眼鏡の下方に補助眼鏡を取り付ける装置であって、
前記通常の眼鏡に設けられた複数のソケットの中にそれぞれ取り付けられた磁性材料と、
前記通常の眼鏡の複数の磁性材料の下方で結合するように、前記補助眼鏡に設けられた複数のソケットの中にそれぞれ取り付けられた磁性材料と、
を備え、
前記通常の眼鏡の複数の磁性材料および取り付けられた前記補助眼鏡の複数の磁性材料は、前記磁性材料間の磁力の最大の引力が前記通常の眼鏡のレンズに対してほぼ平行になるように且つ使用時に鉛直方向に方向付けられており、
前記通常の眼鏡または補助眼鏡のいずれか一方の前記複数の磁性材料は、それぞれ取り付けられた前記ソケット内で凹部を形成しており、他方の前記複数の磁性材料は、それぞれ取り付けられた前記ソケットから突出しており、
これによって前記補助眼鏡が前記通常の眼鏡に取り付けられたときに前記磁性材料間の引力によって前記補助眼鏡は下方に動かずかつ離れないようになっていて、突出した磁性材料とソケット内の凹部との係合により前記通常の眼鏡と前記補助眼鏡とが整列しつつ固定される、装置。
【請求項７】
前記通常の眼鏡の複数の磁性材料は前記通常の眼鏡のフレームのテンプル延長部に取り付けられ、かつ前記補助眼鏡の複数の磁性材料は前記通常の眼鏡の前記フレームの前記テンプル延長部の下に適合するようになされた前記補助眼鏡上の付属体に取り付けられる、請求項６に記載の装置。
【請求項８】
前記通常の眼鏡の前記ソケット内で磁性材料が凹部を形成する、請求項６または７に記載の装置。
【請求項９】
前記複数の磁性材料の露出している側に保護的かつ装飾的なコーティングを含んだ、請求項６〜８のいずれか１項に記載の装置。
【請求項１０】
前記保護的かつ装飾的なコーティングは、前記通常の眼鏡および前記補助眼鏡のフレームと適合するように構成された、請求項９に記載の装置。
【請求項１１】
前記通常の眼鏡の複数の磁性材料は、既存の金具を用いて前記通常の眼鏡に取り付けられるように構成されたユニバーサル・アダプタに取り付けられる、請求項６〜１０のいずれか１項に記載の装置。
【請求項１２】
前記ユニバーサル・アダプタは、ソケットを形成する円筒部と、前記ソケットから伸びた舌状体と、前記通常の眼鏡に前記ユニバーサル・アダプタを取り付ける取付けネジを受け入れる前記舌状体内の孔とを備える、請求項１１に記載の装置。
【請求項１３】
前記舌状体は前記円筒部に一体に形成される、請求項１２に記載の装置。
【請求項１４】
前記舌状体は、前記円筒部の端部に溶接される、請求項１２に記載の装置。
【請求項１５】
前記舌状体は、ネジを用いて前記通常の眼鏡にテンプルを取り付けるための既存の取付孔に取り付けられる、請求項１１〜１４のいずれか１項に記載の装置。
【請求項１６】
前記舌状体は、ネジを用いて前記通常の眼鏡のフレーム内にレンズを締付けるためのフランジの既存の孔に取り付けられる、請求項１１〜１４のいずれか１項に記載の装置。
【発明の詳細な説明】
【０００１】
本発明は１９９８年１１月２日に出願された先行出願第０９／１８４，６９４号の一部継続出願である。
【０００２】
（発明の背景）
１．発明の分野
本発明はクリップ式アイウェア等の補助アイウェアの取付け方法および装置に関し、特に、通常の眼鏡に補助サングラスを取り付ける補助アイウェアに関する。
【０００３】
２．背景情報
通常の眼鏡をサングラスに切り替える補助アイウェアは非常に人気がある。補助アイウェアによって使用者は通常２つの別個の処方レンズを必要とせずに済む。また、頻度は高くないがそれらを用いてレンズの処方を換えることのできる補助アイウェアを取り付けることも可能である。しかし、より一般的に使用される方法は通常の眼鏡に色付きレンズを加えることである。
【０００４】
磁石を用いた補助アイウェア・アタッチメントの他、クリップ式アイウェアなどの補助アイウェアとして、多くの異なるデザインのものが市販されている。補助アイウェアを取り付ける方法の１つは、クリップによるものである。補助アイウェアを取り付ける１つの方法は、本明細書に開示しかつ参照として組み入れた同じ発明者に付与された１９９５年８月３日に出願された米国特許出願第０８／５１０，７９７号に示されかつ記載されている。クリップ型サングラスを記載した別の特許は、１９９７年１２月９日にスペンサーらに交付された米国特許第５，６９６，５７１号に開示かつ記載されている。これらの装置では、補助アイウェアは一方のクリップが通常の眼鏡のテンプルと係合している一方で、他方のクリップが通常のフレームに係合する通常のクリップ・システムによって眼鏡に固定される。
【０００５】
眼鏡を取り付ける新規で非常に一般的な方法は磁石を用いたものである。このような方法の１つはミーカーの米国特許第４，０７０，１０５号に開示かつ記載されている。このミーカーの特許では、通常の眼鏡フレームは、通常の眼鏡フレームへの補助眼鏡の取付けを容易にする周縁部に固定された磁性材料を含んでいる。
【０００６】
磁石を用いて補助眼鏡を取り付ける別の方法は、補助眼鏡のフレームにある同様の磁石と結合する通常のフレームのテンプル部に固定される磁石を備えたサドラーの米国特許第５，４１６，５３７号に開示されている。ミーカーおよびサドラーの特許では、磁石は補助眼鏡の同様の磁石と結合するように、鉛直方向のフレームの部分に埋め込まれている。このタイプの構成の問題は、補助眼鏡が磁石の力だけで通常の眼鏡の前部の所定位置に保持されるということである。補助眼鏡が通常の眼鏡フレームに対して鉛直に動かないようにするための支持部材がない。したがって、補助眼鏡をジョギングまたは体操などの激しい動きにおいて使用するときには、滑り落ちて通常のフレームから離れてしまう。
【０００７】
補助眼鏡の延長部に磁石を設けることによってこの問題を解決する設計が、チャオの米国特許第５，５６８，２０７号に開示かつ記載されている。この特許では、眼鏡が鉛直に滑りかつ通常の眼鏡から外れるという問題は、通常の眼鏡のテンプル用のヒンジ接続部を超えて（すなわち、上方まで）伸びる磁石を有する補助眼鏡上の延長部によって解決される。ヒンジ接続部の磁石は延長部の磁石と結合して、通常の眼鏡前部の所定位置でその実用的な眼鏡を保持する。通常の眼鏡のヒンジ部を超えて（すなわち、上方）適合する延長部は、フレームが下方に動くのを妨げる。テンプル接続部の真上にある延長部と磁石とのこの組み合わせは、補助眼鏡が通常の眼鏡に対して下方に動くのを妨げ、かつ激しい運動中に外れるのを妨げると考えられた。すなわち、本特許は磁石だけを用いて通常の眼鏡に補助眼鏡を取り付けるための解決方法を提供することは不可能なものとして先行技術を記載している。
【０００８】
米国特許第５，５６８，２０７号に開示かつ記載されている眼鏡の問題点は、補助眼鏡の延長部をテンプル・ヒンジ接続部の上に注意して配置しなければならないことである。このために、通常の眼鏡のヒンジ接続部の上に延長部を注意して配置することを確実にするために、補助フレームを取り付けることが多少困難になっている。ほとんどの場合、補助レンズを取り付けるためには、使用者は通常の眼鏡を取り外す必要がある。
【０００９】
したがって、本発明の目的の１つは、通常の眼鏡に補助眼鏡を取り付ける改善された方法および装置を提供することにある。
【００１０】
本発明の別の目的は、他の支持を一切必要とすることなく磁石のみを用いて、通常の眼鏡に補助眼鏡を取り付ける改善された方法および装置を提供することにある。
【００１１】
本発明のさらに別の目的は、眼鏡のテンプルを取り付ける為の通常の眼鏡の延長部にある磁石の下に適合しかつそれと結合する同様の磁石を有する付属体を用いて、通常の眼鏡に補助眼鏡を取り付ける方法を提供することにある。
【００１２】
本発明のさらに別の目的は、磁力を最大限にして補助眼鏡の鉛直または下方への動きを妨げるように方向付けされた磁石を備えた通常の眼鏡に改善された補助眼鏡の磁気アタッチメントを提供することにある。
【００１３】
本発明のさらに別の目的は、鉛直方向への磁力が最大限になるように水平方向に方向付けされた磁石を備えた補助眼鏡の磁石接続を提供することにある。
【００１４】
本発明のさらに別の目的は、必要な場合には補助的な支持クリップを含んだ補助眼鏡の磁気アタッチメントを提供することにある。
【００１５】
本発明のさらに別の目的は、通常の眼鏡フレームのブリッジの上に都合よく適合するクリップを含んだ補助眼鏡磁気アタッチメントを提供することにある。
【００１６】
（発明の簡単な説明）
本発明の目的は、別の支持体を必要とすることなく、補助眼鏡が通常の眼鏡から外れないように効果的に妨げる磁石を使用した安定したアタッチメントを備えた改善された補助眼鏡の取付け方法および装置を提供することにある。
【００１７】
本発明の好適な実施形態では、補助眼鏡の外れを起こす可能性のある下方または鉛直方向の動きが生じないように、補助眼鏡は磁石を用いて通常の眼鏡に取り付けられている。また、ここで開示した磁石との取付け方法は、以下に詳細に記載するように、通常の眼鏡に補助眼鏡を固定するより簡単な方法を提供している。
【００１８】
例えば、チャオの特許、すなわち米国特許第５，５６８，２０７号に開示されているように、補助眼鏡が「下方に動く」ことおよび通常の眼鏡から外れることを防ぐには何らかの支持が必要となると考えられていた。しかし、認識されていなかったことは、磁石はその軸に対して垂直方向に強力な引力を有しているということである。すなわち、非常に強力な磁石の場合、真っ直ぐに引っ張ることによって磁石を引き離すことは難しい。特に非常に強力な磁石の場合、通常それらを引き離すためには、磁石が結合している表面に対して平行に磁石を滑らせることによって行う。この理由として、磁力は、磁石の表面（すなわち、極）に対して垂直方向の方が表面に対して平行な方向よりも強力であることが挙げられる。ここで開示した補助眼鏡の発明者は、この原理により、正確に方向付けされた磁石は別の支持体を必要とすることなく通常の眼鏡のフレーム上で確実に補助眼鏡を保持することができることを発見した。重要なことは、補助フレームに加えられる鉛直方向の力が磁石の平面に対して垂直になるように磁石を方向付けすることである。
【００１９】
補助眼鏡フレームの対向する側にある付属体にこの独特な構成を達成させるために、補助眼鏡フレームは磁石の平面が水平に方向付けられ、かつ軸（すなわち、極）が鉛直または補助眼鏡フレームに対して平行に方向付けられた磁石を受け入れるソケットを含んでいる。相補的な結合磁石が通常の眼鏡のヒンジ延長部上のソケットに取り付けられており、また磁石の平面が水平に方向付けられ、かつ軸（すなわち、極）が鉛直または通常の眼鏡に対してほぼ平行に方向付けられている。
【００２０】
この配置は手探りしたりまたは探したりする必要がなく、通常の眼鏡の上に補助眼鏡を容易に装着することができることを意味している。使用者は補助眼鏡の付属体がテンプル取付け延長部に注意深く整列されるのを確実にするために、上記で参照した米国特許第５，５６８，２０７号に記載された配置を用いた場合のように手探りしたりまたは眼鏡を外す必要はない。軽く上方に動かして通常の眼鏡に補助眼鏡を単に乗せれば、磁石が近づいたときに補助眼鏡は容易に取り付けられる。この配置は補助眼鏡および、他の補助眼鏡のデザインを用いることによる問題を生じることなく使用することが単純かつ容易なフレームを確実に固定するのに役立つ。
【００２１】
補助眼鏡が通常の眼鏡フレームのテンプル下から補助眼鏡上の付属体を通常の眼鏡に接近させることは、容易に理解することができるであろう。次に、ほんのわずかに上方に動かすだけで磁石は引き合い、補助眼鏡のフレームは確実に取り付けられる。この取付けは、従来の配置では必要とされたカンまたは手探りを必要とすることなく、片手で簡単かつ容易に行うことができる。方向付けはほぼ自動的であり、磁気で固定される他の補助眼鏡では必要となるより慎重なアライメントを必要としない。
【００２２】
本発明の任意であるが好適な実施形態は、ユーティリティ・フレームの対向する側にある付属体内に取り付けられ、かつ通常の眼鏡のテンプル延長部上の相補ソケット内に取り付けられた磁石を受け入れるソケットの変形を含んでいる。この実施形態では、補助フレームまたは通常の眼鏡のテンプル延長部のいずれかのソケット内の磁石は引っ込む一方で、反対側のソケットの磁石がわずかに伸びるかまたは持ち上がる。これは通常の眼鏡のテンプル延長部の磁石に補助フレームの磁石を結合する際に、明白かつ改善された利点を提供する。
【００２３】
本発明の独特かつ明白な利点は、磁石ソケットを保持する付属体とレンズが擦れて傷が付くのを回避することである。擦り傷が付かないのは補助眼鏡が下方から取り付けられるからである。ソケットが引っ込んでいるので、より確実な取付けが達成され、かつ通常の眼鏡上の補助眼鏡のフレームのアラインメントはほとんど自動的になっている。取付けには通常の眼鏡のレンズに補助眼鏡のレンズを押しつけるだけでよく、軽く上方に動かせば、一方の持ち上がった磁石がほぼ自動的に相補ソケットの凹部に滑り込んで着座される。持ち上がった及び引っ込んだ（凹凸の）磁石によって、アラインメントおよび補助眼鏡の水平方向に対する付加的な支持が自動的に行われる。
【００２４】
本発明の任意ではあるが好適な別の実施形態は、既存の金物または構成要素を利用して通常の眼鏡フレームに磁石を取り付けるためにユニバーサル・アダプタを使用することを含んでいる。この実施形態は通常の眼鏡に磁石を取り付けるユニバーサル・アダプタを設けている。今までの実施形態は永久的に取り付けられた磁石を有しており、特別に組み立てられた眼鏡フレームを必要とする。今までの実施形態は、補助眼鏡フレームの磁石と結合するテンプル延長部に永久的に取付けられた適合した磁石を備えたソケットを有している。この実施形態は舌状体を有する磁石を備えたソケットを含んでおり、この舌状体は既存の金具を用いて通常の眼鏡フレーム上にソケットを取り付けるための孔を有している。
【００２５】
構成の１つでは、舌状体の孔を通って、通常の眼鏡フレームにテンプルを取り付けるための既存のネジ孔にねじ込まれるネジによって既存の眼鏡フレームに固定されるようにソケットは舌状体に取り付けられている。このソケットは補助眼鏡のフレームに取り付けられた付属体上の磁石と結合するように構成された磁石を保持する。
【００２６】
第２の構成では通常の眼鏡フレームにレンズを固定かつ締付けるためのネジ孔を利用することによって、通常の眼鏡フレーム上にユニバーサル・アダプタ・ソケットを取り付けるための孔を有する舌状体を備えたソケットを含んでいる。この実施形態では、ユニバーサル・アダプタ・ソケットは、孔を通り、かつフレームにレンズを固定かつ締付ける通常の眼鏡フレームの孔にねじ込まれるネジを受け入れる孔を有する舌状体を備えている。
【００２７】
任意であるがあまり好適ではない実施形態では、クリップが必要な場合には、付加的な支持力を提供する。例えば、これは非常に小さな磁石を用いてフレームに眼鏡を取り付ける場合に使用することが可能である。この実施形態では、１９９５年８月３日に出願された出願人の先の特許出願第０８／５１０，７９７号に示されかつ記載されたクリップか、または他の特許に示されているクリップと同様のクリップの組み合わせを補助眼鏡フレームに取り付けることが可能である。クリップは通常の眼鏡のブリッジと上方から適合しかつ係合する補助眼鏡のフレームのブリッジに組み込まれる。これにより、磁石が両側を適所で保持した状態で補助眼鏡フレームは通常の眼鏡フレーム上に固定される。
【００２８】
任意ではあるがあまり好適ではないさらに別の実施形態では、補助眼鏡フレームの上部の磁石と結合するように、類似する磁石が通常の眼鏡のブリッジの下に設けられる。この実施形態では、クリップは通常の眼鏡フレームに上方から適合しかつ係合する補助眼鏡フレームのテンプル領域の上部または内部に取り付けられる。この実施形態では、ブリッジ上の磁石がその磁石に結合する通常の眼鏡フレームのブリッジの下で滑るようにして、通常の眼鏡フレーム上をクリップに滑らせかつ次にブリッジに押し付けることによって補助眼鏡は取り付けられる。ブリッジの磁石は、クリップがフレームを適所で固定した状態で、通常の眼鏡のフレーム上に補助眼鏡を保持する。
【００２９】
本発明の上記および他の特徴は、以下の詳細な説明および添付図面からより完全に理解されよう。
【００３０】
（発明の詳細な説明）
図１〜３には、通常の眼鏡１２に補助眼鏡１０を取り付ける独特な方法および構成が示されている。補助眼鏡１０は通常の眼鏡１２をサングラスに替える最も一般的な色付きレンズであるが、種々の処方レンズを含むこともできる。補助眼鏡１０はフレーム１６内に設けられたレンズ１４を備えており、このフレーム１６はフレーム１６のいずれかの側にも後方に伸びる付属体１８を有している。通常の眼鏡１２はブリッジ２２を備えたフレーム２０を有しており、このブリッジ２２はフレームにテンプル２４を取り付ける為にフレーム２０のいずれかの側にもテンプル延長部２２を有している。
【００３１】
先行技術の補助眼鏡では、磁石はフレーム２０に埋め込まれているか、または眼鏡フレーム２０のテンプル延長部２２を超え、即ち上方に延びている補助眼鏡の延長部に埋め込まれている。先行技術の磁石の構成はフレーム２０に埋め込まれているので、磁石の面は鉛直またはレンズに対して平行であり、下方向の剪断力によって補助眼鏡は簡単に外れてしまう。この問題を解決するために、米国特許第５，５６８，２０７号の補助眼鏡は、眼鏡フレームのテンプル取り付け延長部を超え即ち上方に適合する補助眼鏡延長部に磁石を入れることを提唱している。補助眼鏡が外れるのを防ぐには磁石に加えて何らかの支持が必要であると考えられた。これは十分な解決方法であるが、最善の解決方法ではない。延長部がテンプルの真上に確実になるように、通常の眼鏡のフレーム上に補助眼鏡を慎重に位置決めする必要がある。
【００３２】
本発明は補助眼鏡フレーム１０が離れるかまたは外れる可能性に対する解決方法を提供するだけでなく、最小の労力で補助眼鏡を取り付ける方法を単純化する。これは補助眼鏡フレーム１６に取り付けられた付属体１８のソケット２８に磁石２６を挿入することによって達成される。相補磁石３０が通常の眼鏡フレーム２０のテンプル延長部２２に取り付けられたソケット３２に設けられている。好適には、磁石２６および３０は直径が少なくとも４ミリメートル（４ｍｍ）である。
【００３３】
本発明の重要かつ決定的な特徴は磁石２６および３０の方向であり、図３の断面図により明白に示されている。一般に、磁石は平坦な面と軸を有している。この例では、磁石２６および３０は鉛直に方向付けされかつ補助フレーム１６および通常の眼鏡フレーム２０に対してほぼ平行である軸３４を有する円柱状で示されている。これは、磁石の最大の引力が軸３４に沿って鉛直に向けられることを意味する。したがって、磁石２６および３０の最大の磁力は鉛直方向に向けられて、下方への動きにより補助眼鏡のフレーム１０が外れようとするのを抑止する。補助眼鏡のフレームを適所に保持しかつ下方への動きを妨げるためには、強力な磁力を有する鉛直方向に向けられた直径が約４ｍｍの磁石２６および３０を取り付けることで十分であることが見出された。したがって、補助眼鏡のフレーム１０は通常の眼鏡１２上に確実に固定されており、スポーツまたは運動中に生じる激しい動きによって容易に外れることはない。
【００３４】
境界面３６に沿った剪断力は最小になり、補助眼鏡１０が外れる前に通常の眼鏡１２が装着者から落下するであろう。この構成は補助眼鏡１０の取付けを改善するだけでなく、図２に示すようにそれらが取り付けられるのを容易にしている。磁石２６が磁石３０に吸引されかつ適所で固定されるまで、軽く上方に動かすことにより通常の眼鏡１２まで補助眼鏡１０を単に上げることができる。したがって補助眼鏡は容易に方向付けされ、かつ装着者から通常の眼鏡を取り外さなくても通常の眼鏡１２に取り付けることができる。
【００３５】
図４〜６には任意ではあるがあまり好適でない実施形態を示している。この実施形態では、補助眼鏡１０’は上記のように磁石２６がソケット２８に設けられた付属体１８を有している。磁石２６は上記のように通常の眼鏡のフレーム２０上の通常のテンプル延長部２２のソケット３２に取り付けられた磁石３０と結合する。しかし、付加的な確実性を提供しかつ通常の眼鏡のフレーム２０上で補助フレーム１０’を保持するために、通常の眼鏡のブリッジ４４上に延在しかつこの上に取り付けられるように構成されたクリップ４２を備えた補助眼鏡のフレーム４０のブリッジ３８が形成されている。クリップ４２は例えば、頭の後部に巻かれるストラップを用いて通常の眼鏡１２が装着者の頭部に固定されるようなスポーツ活動の場合などの非常に激しい運動に用いられる補助眼鏡１０’に付加的な支持力を提供する。図６に示すように、補助眼鏡のブリッジ３８に形成されたクリップ４２はブリッジ４４を超えて通常の眼鏡のフレーム２０に確実に適合する。
【００３６】
図４の補助眼鏡１０’を取り付けるために、補助眼鏡は通常の眼鏡１２に接触して配置され、かつ磁石２６が磁石３０と結合するまでわずかに上方に滑動される。次に、補助眼鏡フレーム４０のブリッジ３８に形成されたクリップ４２は、通常の眼鏡１２に眼鏡１０’を確実に装着する通常の眼鏡ブリッジ４４上を超えて滑る。
【００３７】
図７〜１０には、磁石とクリップとの組み合わせを使用して通常の眼鏡に補助眼鏡を確実に装着する別の実施形態が示されている。この実施形態では、フレームの上部の四分円の眼鏡フレーム５４に設けられたクリップ５２を備えた補助眼鏡５０が形成されている。磁石５６は補助眼鏡レンズ６０同志を結合するブリッジ５８に固定されている。ブリッジ６６を有するフレーム６４を備えた通常の眼鏡６２が形成されており、ブリッジには相補磁石６８が装着されている。この実施形態では、補助眼鏡５０は、通常の眼鏡６２のフレーム７０を超えて適合するクリップ５２と、磁石５６が結合するようにブリッジ６６の下で適合するブリッジ５８との対向する力の組み合わせによって、通常の眼鏡６２に取り付けられている。
【００３８】
図８および９には通常の眼鏡６２への補助眼鏡５０の取付け方法が示されている。図８に示すように、補助レンズフレーム５４の上部の四分円上のクリップ５２は通常の眼鏡フレーム７０を超えて適合する。補助眼鏡ブリッジ５８は十分に柔軟性があるので、通常の眼鏡フレーム６２のブリッジ６６の下方にブリッジ５８を押すことができ、通常の眼鏡ブリッジ６６に埋め込まれた磁石６８に磁石５６を結合することが可能となる。したがって、補助眼鏡５０は図９に示すように通常の眼鏡６２に確実に装着され、かつクリップ５２及び磁石５６および６８の対向する力によって適所に保持される。また、ストラップを用いて装着者の頭部に通常の眼鏡６２を固定することが必要になる非常に激しい運動を行う場合には、この構成が最適であると思われる。
【００３９】
図１１から１３には択一的ではあるが好適な別の実施形態を示す。この実施形態は通常の眼鏡フレーム１２’への補助眼鏡１０’の装着を改善し、また外観も改善する。この実施形態は、通常の眼鏡フレーム１２’の色および外観と合うように構成された保護的かつ装飾的な被覆材料７２によって露出面を被覆することによって、眼鏡フレーム１２’の磁石の外観を改善している。したがって、通常の眼鏡フレーム１２’から補助眼鏡フレーム１０’を取り外すと、ソケット内の磁石ははっきりとは見えない。これは磁石同志が通常の眼鏡フレーム１２’の上で結合している構成の場合には不可能である。補助眼鏡フレーム１０’を取り外すときに、磁石が見えるであろう。
【００４０】
図１２および１３には独特かつ重要な改善を示している。この実施形態では、著しい改善が達成されて、補助眼鏡フレーム１０’と通常の眼鏡フレーム１２’との完全な取付けおよびアラインメントを確実にしている。適切なアラインメントおよび確実な取付けを確実にするために、ソケット３２の磁石３０が凹部７４より奥まる一方で、ソケット２８の磁石２６は伸びる、即ち持ち上がる。したがって、補助眼鏡フレーム１０’を軽く上方に動かして通常のフレーム１２に押圧するときには、図１３に示すように、持ち上がった磁石２６が通常の眼鏡ソケット３２の凹部７４に滑りかつそこに納まることによって、アラインメントは確実になる。また、ソケット２８の磁石２６も保護的かつ装飾的な被覆材料７２によって被覆されており、磁石の外観を改善しかつ磁石を見えなくしている。
【００４１】
当然、ソケット２８または３０のいずれかが奥まったソケットを含む一方で、他の相補ソケットが伸びる、即ち持ち上がった磁石を含むこともできる。アラインメントを改善しかつ主のまたは通常の眼鏡フレーム１２’に補助眼鏡のフレーム１０’を確実に取り付ける構成および配置を示すために、補助眼鏡上に持ち上がった磁石２６を例示しただけである。ソケット３２の凹部７４の口部または表面は、補助眼鏡のフレームが水平方向に動かないように補助眼鏡のフレームにさらなる支持力を提供する。この構成および配置は主体のまたは通常の眼鏡のフレーム１２’に補助眼鏡のフレーム１０’を取り付ける確実かつ非常に効果的な方法を提供するだけでなくアラインメントを自動的に行いかつ取り付けを一層簡単にしている。
【００４２】
しかし、ほとんどのスポーツ活動および運動の場合には、通常のフレーム１２に補助眼鏡１０を装着するのに図１〜３に関して開示かつ記載した構成で十分である。ここで重要な特徴は磁石２６および３０の方向であり、これによってそれらの軸（すなわち、極）３４に沿った最大の磁石の引力は通常の眼鏡フレーム２０に対して鉛直に向けられるかまたは平行になる。任意であるが好適な実施形態では、磁石が相補ソケット内で持ち上がる一方で、磁石は補助眼鏡フレームまたは通常の眼鏡フレームのいずれかのソケットに凹部を形成する。これは補助眼鏡フレームが通常の眼鏡フレーム上で整列するのを改善かつ補助し、水平方向の動きを妨げることによってより確実な取付けも提供する。ほとんどの場合、磁石２６と３０との間の接触面３６に対して実質的に平行な剪断力だけが補助眼鏡１０を外すことができるが、しかしそのような力はおそらく装着者の頭部から通常の眼鏡１２を外すと考えられる。
【００４３】
上記すべての実施形態は磁石を含んだ補助眼鏡を収容するために、特別に構成された眼鏡フレームを必要とする。すなわち、通常の眼鏡フレームは通常の眼鏡フレームに固定されたテンプル延長部の一体部分として、永久的に固定された磁石を有している。これは開示かつ記載したシステムが既存の通常の眼鏡フレームに適用される場合には有利であろう。この目的のために、図１４〜２０に示した実施形態が考えられた。
【００４４】
この実施形態は通常の眼鏡フレームの補助眼鏡のアラインメントおよび保持を補助するために引っ込んだソケットを使用しているので、図１１〜１３に示した実施形態と同様のものである。この実施形態が異なっているのは、磁石を装着する既存の通常の眼鏡フレーム金具を使用している点にある。これにより磁石を既存の通常の眼鏡フレームに取り付けることができる。
【００４５】
図１４に示したように、通常の眼鏡フレーム１２はテンプル２４を取り付けるための延長部２２’を有している。テンプルの延長部２２’およびテンプル２４はネジ８８を用いて通常の眼鏡フレーム１２に取り付けられている。この任意の実施形態はその装着金具を利用している。
【００４６】
この任意の実施形態は、ネジ８８を受け入れるネジ孔８６を有する舌状体８４を備えたソケット８２から構成されたユニバーサル・アダプタ８０を提供する。ユニバーサル・アダプタ８０は孔９０に取付けネジ８８をねじ込むことによって通常の眼鏡のテンプル延長部２２’に取り付けられている。これにより図１５〜１７に示すように、ユニバーサル・アダプタ８０は磁石がいかなる通常の眼鏡フレームにも取り付けられることを可能にしている。
【００４７】
図１６および１７の断面図にはユニバーサル・アダプタ８０の構成および取付けをより明白に示している。ユニバーサル・アダプタ８０は磁石９２を受け入れるソケット８２から構成されている。好適には、ソケット８２は補助眼鏡フレーム１０’上のテンプル延長部１８に取り付けられたソケット２８内で持ち上がった磁石２６’を受け入れる凹部９４を有している。したがって、開示したユニバーサル・アダプタ８０は通常の眼鏡テンプル２４も保持かつ固定するネジ９０を用いて眼鏡フレームにユニバーサル・アダプタを単に取り付けるだけで、補助眼鏡１０’が既存の通常の眼鏡フレームに取り付けられるのを可能にする。
【００４８】
図１７にユニバーサル・アダプタ８０の任意の構成を示している。このユニバーサル・アダプタ８０’は溶接部１００によって円筒９８に固定された舌状体８４を形成するバー９６から構成されている場合を除き、同じように正確に機能する。磁石１０２は、補助眼鏡のフレーム１０’のテンプル延長部１８のソケット２８に取り付けられた磁石２６を受け入れる凹部１０４を提供する円筒９８内に着座されている。ユニバーサル・アダプタ８０’は、眼鏡フレーム２０にテンプル２４を固定する孔９０にねじ込まれるネジ８８を用いて従来のように通常の眼鏡のフレームに取り付けられる。
【００４９】
補助眼鏡フレーム１０’は上記のようにかつ図１５に示したように取り付けられている。補助眼鏡フレーム１０’はユニバーサル・アダプタ８０または８０’のソケット８２または９０に磁石２６’を着座させるように、上方に動かすことによって下から取り付けられる。凹部９４または１０４は通常の眼鏡フレーム１２上に補助眼鏡フレーム１０’を確実に保持する。
【００５０】
図１８〜２０にはユニバーサル・アダプタ８０の別の任意の構成を示している。この構成ではフレーム１２にレンズ２１を装着または締付ける既存の金具類を利用している。レンズ２１はフランジ１０８を通るネジ１０６を用いて締付けることによって、通常の眼鏡フレーム１２に装着されている。この実施形態では、ネジ１０６は下から通常の眼鏡１２のフランジ１０８にねじ込まれるために、修正されたまたは異なるユニバーサル・アダプタが必要となる。
【００５１】
図１９の２０−２０で切った図２０の断面図には、修正されたユニバーサル・アダプタ１１０をより詳細に示している。ユニバーサル・アダプタ１１０は磁石１１６を受け入れるソケット１１４を有する円筒１１２から構成されている。
【００５２】
ネジ１０６を用いてフランジ１０８を締付けて、ユニバーサル・アダプタ１１０が通常の眼鏡のフランジ１０８の底部に取り付けられるようにするために、ツメ１１８が円筒１１２の底部周囲から延び、かつ取付けネジ１０６を受け入れる孔１２０を有している。この実施形態では、ソケット１２２の磁石２６’が凹部１２４を提供していることに注目されたい。磁石１１６は円筒１１０の表面の上方に延在し、かつソケット１２２の凹部１２４に着座されている。これによって通常の眼鏡１２上で補助眼鏡１０’は確実に保持される。したがって、通常のフレーム１２にレンズ２１を締付けてかつ保持するのに使用されるネジ１０６を用いて、フランジ１０８の下にユニバーサル・アダプタ１１０を取り付けることができる。図２０の断面図は、通常の眼鏡フレーム上の磁石ではなく、補助眼鏡１０’上の磁石が引っ込んだ、上記と反対となったものを示している。
【００５３】
図１８および１９には通常の眼鏡フレーム１２への補助眼鏡１０’の取り付けを示している。一体に形成されたツメ１１８を備えたユニバーサル・アダプタ１１０は、図２０の断面図に示したように孔１２０を通してフランジ１０８にネジ１０６をねじ込むことによって、通常の眼鏡フレーム１２に取り付けられる。通常の眼鏡フレーム１２の各々の側に取り付けられたユニバーサル・アダプタ１１０に対して、円筒１１２から延びている磁石１１６が補助眼鏡付属体１８の磁石２６’と結合するまで補助眼鏡フレームを通常の眼鏡フレームに対して上方に滑らせることによって、補助眼鏡１１０は下方から取り付けられる。
【００５４】
このように、通常の眼鏡に補助眼鏡を取り付ける新規かつ独特な方法を開示してきた。一実施形態では、最大の磁力が通常の眼鏡フレームに対して鉛直または平行になるような方向を有した磁石は、通常の眼鏡上に補助眼鏡を確実に保持するには十分である。
【００５５】
補助眼鏡１０’は磁石を受け入れる円筒形ソケットを備えた付属体を有している。通常の眼鏡のテンプル延長部の下を通る補助眼鏡フレームの付属体１８を受け入れるために通常の眼鏡のテンプル延長部に磁石が取り付けられている。好適な別の変形例では、通常の眼鏡フレーム上で補助眼鏡フレームを保持する際にアライメントを補助するべく、一方のソケット内の磁石が引っ込む一方で他方のソケットの磁石は伸びている。
【００５６】
本発明のさらに別の実施形態では、既存の金具を使用して通常の眼鏡フレームに取り付けることができるユニバーサル・アダプタの円筒形ソケットに磁石が取り付けられる。この実施形態では、磁石を受け入れるソケットとテンプル取付けネジを受け入れる孔を有する舌状体とを備えた円筒内に磁石は取り付けられている。磁石を受け入れる円筒形ソケットは下方に向いており、補助眼鏡の付属体に装着された伸びた磁石がユニバーサル・アダプタの凹部で着座されるように、磁石を受け入れるように引っ込んでいる。
【００５７】
別の変形例はレンズ周囲に通常の眼鏡フレームを閉じるかまたは締付けるネジを用いて、取り付けられるユニバーサル・アダプタを使用する。この実施形態では、下方に向いた磁石を受け入れる円筒形ソケットが形成され、該円筒形ソケットはレンズ締付けネジ用のフランジの真下に装着され、かつレンズ締付けフランジに補助ユニバーサル・アダプタを固定する舌状体を有している。
【００５８】
あまり好適でない別の実施形態では、クリップが通常の眼鏡のブリッジに適合し、該ブリッジに補助眼鏡を固定するために、補助眼鏡フレームのブリッジに取り付けられるか、またはブリッジと一体で形成される。
【００５９】
さらに第３の実施形態であるがあまり好適でない実施形態では、通常の眼鏡に補助眼鏡を取り付けるためにクリップと磁石とを組み合わせたものが使用されている。この第３の実施形態では、クリップは通常の眼鏡のフレーム上に適合する補助眼鏡のフレームの上部の四分円に形成されている。通常の眼鏡のブリッジに埋め込まれた磁石は、補助眼鏡のブリッジが通常の眼鏡の下で適合するように補助眼鏡のブリッジに埋め込まれた磁石と結合する。
【００６０】
本発明は図面に示しかつ例ではあるが限定ではないものとして記載した説明に記載した実施形態によって限定されるものではないが、添付の特許請求の範囲のみに従うものである。
【図面の簡単な説明】
【図１】  磁石だけを用いて通常の眼鏡に補助眼鏡フレームを取り付ける方法および装置を示す等角図である。
【図２】  磁石だけを用いて通常の眼鏡フレームに取り付けられた補助眼鏡フレームを示す等角図である。
【図３】  通常の眼鏡フレームテンプル延長部に埋め込まれた同様の磁石と結合される、付属体に埋め込まれた磁石を用いた補助眼鏡フレームの接続を示す図である。
【図４】  補助眼鏡フレームのブリッジに形成されたクリップが通常の眼鏡フレームのブリッジと適合しかつ係合する任意の実施形態を示す図である。
【図５】  通常の眼鏡フレームに取り付けられた図４の実施形態を示す図である。
【図６】  図５を６−６で切った断面図である。
【図７】  通常の眼鏡のブリッジの下に取り付けられた磁石と結合し、かつ通常の眼鏡フレーム上に補助眼鏡フレームを固定するクリップを備えた補助眼鏡フレームのブリッジに磁石が埋め込まれた別の実施形態を示す図である。
【図８】  通常の眼鏡に図７の補助眼鏡フレームを取り付ける方法を示す図である。
【図９】  通常の眼鏡フレームに補助眼鏡が確実に固定された図７の実施形態を示す図である。
【図１０】  図９を１０−１０で切った断面図である。
【図１１】  本発明の別の択一的実施形態を示す等角図である。
【図１２】  通常の眼鏡フレームに補助眼鏡を取り付ける方法を示す好適な択一的実施形態を示す等角図である。
【図１３】  図１１を１３−１３で切った、好適な択一的実施形態の構成および配置を示す等角図である。
【図１４】  全体で、同様の構成要素を同様の参照番号で示した本発明の別の任意の実施形態を示す等角図である。
【図１５】  通常の眼鏡フレームへの補助眼鏡の取り付けを示す別の任意の実施形態の等角図である。
【図１６】  図１５を１６−１６で切った断面図である。
【図１７】  ユニバーサル・アダプタ・ソケットの択一的構成を示す図１６に類似する断面図である。
【図１８】  本発明の任意の実施形態の任意の構成を示す等角図である。
【図１９】  通常の眼鏡フレームに補助眼鏡を取り付ける方法を示す任意の実施形態の任意の構成を示す等角図である。
【図２０】  図１９を２０−２０で切った断面図である。
【図１】
0004776850.tif 000002
【図３】
0004776850.tif 000003
【図２】
0004776850.tif 000004
【図４】
0004776850.tif 000005
【図５】
0004776850.tif 000006
【図６】
0004776850.tif 000007
【図７】
0004776850.tif 000008
【図８】
0004776850.tif 000009
【図９】
0004776850.tif 000010
【図１０】
0004776850.tif 000011
【図１１】
0004776850.tif 000012
【図１２】
0004776850.tif 000013
【図１３】
0004776850.tif 000014
【図１４】
0004776850.tif 000015
【図１５】
0004776850.tif 000016
【図１６】
0004776850.tif 000017
【図１７】
0004776850.tif 000018
【図１８】
0004776850.tif 000019
【図１９】
0004776850.tif 000020
【図２０】
0004776850.tif 000021